(57)【要約】      （修正有）【課題】同軸ケーブルの中心ピンの弾力性を有しながら緊密に挟持し、高周波信号伝送を行う同軸ケーブル用コネクタを提供する。【解決手段】ジャックコネクタ１、ジャックコネクタ１上に軸方向に設けられた環状導体２、および絶縁ブッシュ３を含み、環状導体２は、両端にそれぞれ複数の導片２１を有し、隙間を等間隔に設け、複数の導片２１の間に同軸ケーブルの中心ピンを挿着する収納溝２２が形成されている。複数の導片２１の中央部で収納溝２２に向かって凹んだ部分にアーチ型凸縁２４が凸設され、アーチ型凸縁２４が収納溝２２内に挿着された同軸ケーブルの中心ピンの弾力性を有しながら緊密に挟持する。アーチ型凸縁２４に集中された挟持応力は、大きな面積を有する部分に均等に分散されるため、導片２４が長時間にわたり圧縮変形して弾性を失うのを防止することができる。【選択図】図２
0003191366.tif 000002
【実用新案登録請求の範囲】
【請求項１】
ジャックコネクタ、前記ジャックコネクタ上に軸方向に設けられた環状導体、および絶縁ブッシュを含む同軸ケーブル用コネクタであって、
前記環状導体は、両端にそれぞれ複数の導片を有し、隙間を等間隔に設け、両端の前記複数の導片の間に同軸ケーブルの中心ピンを挿着する収納溝が形成され、前記複数の導片の中央部で前記収納溝に向かって凹んだ部分にアーチ型凸縁が凸設され、前記アーチ型凸縁が前記収納溝内に挿着された同軸ケーブルの前記中心ピンの弾力性を有しながら緊密に挟持すること特徴とする同軸ケーブル用コネクタ。
【請求項２】
前記アーチ型凸縁は、細長い構造を呈していることを特徴とする請求項１に記載の同軸ケーブル用コネクタ。
【請求項３】
前記複数の導片は、中央部に前記収納溝に向かって凹んだ平底部を有し、前記平底部には前記アーチ型凸縁が設けられていることを特徴とする請求項１に記載の同軸ケーブル用コネクタ。
【考案の詳細な説明】
【技術分野】
【０００１】
本考案は、同軸ケーブル用コネクタに関し、特に、同軸ケーブルの中心ピンの弾力性を有しながら緊密に挟持し、高周波信号伝送を行う同軸ケーブル用コネクタに関する。
【背景技術】
【０００２】
同軸ケーブルは、テレビ放送およびインターネットシステムに幅広く用いられている信号伝送線で、高周波信号を載せて伝送するのに用いられる。末端に配置された同軸ケーブルのプラグコネクタが、ビデオまたはインターネット設備上の対応する同軸ケーブル用ジャックコネクタに固着する。最もよく見かけるＦ型同軸ケーブル用コネクタでは、同軸ケーブルに接続したソケットの前端に回転可能なプラグが配置され、プラグの内表面に内ネジが設けられ、外表面に六角形の外壁があり、素手または挟持工具により同軸ケーブルのプラグコネクタをジャックコネクタに螺着する。
【０００３】
同軸ケーブルを接続する際、コネクタにより異なる同軸ケーブルを接続する。上記のＦ型同軸ケーブル用コネクタの場合、用いられるコネクタは、本体の両側の導電外ネジ、軸方向に配置された導電端子、および、導電外ネジと導電端子との間に配置された絶縁ブッシュを含む。導電端子の両端には、隙間で間隔が空けられた複数の弾片を有する挟持端がそれぞれ設けられている。挟持端は、開口から軸方向に内側へ向かって少しずつ縮んでいく先細部を設けることにより、異なる同軸ケーブルがそれぞれジャックコネクタの両端に接続されても、各弾片が中心ピンを挟持し、ジャックコネクタの両端の同軸ケーブルを電気的に接続する。
【０００４】
同軸ケーブルコネクタは、異なる同軸ケーブルを接続する接続デバイスだけでなく、異なる同軸ケーブル間で電子伝送を行う伝送デバイスでもある。しかし、不安定な接続が信号の伝送に悪影響を与えることがある。上記の導電端子および同軸ケーブルの中心ピンの接続は、複数の弾片間で中心ピンを挟持する方法を用いているが、一定の期間に何度も直径の異なる中心ピンを抜き差しする動作を繰り返すと、弾片の弾力が失われやすく、中心ピンを強固に挟持することができなく、電気的接続不良を起こし、高周波出力効率を損失してしまうことが多かった。
【先行技術文献】
【特許文献】
【０００５】
【特許文献１】特開２０１１−２５３６２５号公報
【特許文献２】実用新案登録第３１２０５１９号公報
【考案の概要】
【考案が解決しようとする課題】
【０００６】
本考案の目的は、同軸ケーブル用コネクタに関し、特に、同軸ケーブルの中心ピンの弾力性を有しながら緊密に挟持し、高周波信号伝送を行う同軸ケーブル用コネクタを提供することにある。
【課題を解決するための手段】
【０００７】
上述の目的を達成するため、本考案は、同軸ケーブル用コネクタを提供する。本考案の同軸ケーブル用コネクタは、ジャックコネクタ、ジャックコネクタ上に軸方向に設けられた環状導体、および絶縁ブッシュを含む。環状導体は、両端にそれぞれ複数の導片を有し、隙間を等間隔に設けている。
複数の導片の間に同軸ケーブルの中心ピンを挿着する収納溝が形成されている。複数の導片の中央部で収納溝に向かって凹んだ部分にアーチ型凸縁が凸設されている。アーチ型凸縁が収納溝内に挿着された同軸ケーブルの中心ピンの弾力性を有しながら緊密に挟持する。アーチ型凸縁に集中された挟持応力は、大きな面積を有する部分に均等に分散されるため、導片が長時間にわたり圧縮変形して弾性を失うのを防止することができる。
【考案の効果】
【０００８】
本考案の同軸ケーブル用コネクタは、アーチ型凸縁により、環状導体の両端の導片が同軸ケーブルの中心ピンを挟持する際に、挟持応力をアーチ型凸縁に集中させて、大きな面積を有する部分に挟持応力を均等に分散させ、導片が長時間にわたり圧縮変形して弾性を失うのを防止することができる。
また、直径の異なる中心ピンを何度も抜き差し動作を繰り返しても安定した挟持力を有し、信号伝送損失を最小限に抑えることができる。
【図面の簡単な説明】
【０００９】
【図１】本考案の一実施形態による同軸ケーブル用コネクタを示す分解斜視図である。
【図２】本考案の一実施形態による同軸ケーブル用コネクタを示す断面図である。
【図３】環状導体を示す正面図である。
【図４】環状導体の図３のａ−ａ’面を示す断面図である。
【考案を実施するための形態】
【００１０】
以下、本考案の実施形態を図面に基づいて説明する。
【００１１】
図１および図２を参照する。図１は、本考案の一実施形態による同軸ケーブル用コネクタを示す分解斜視図である。図２は、本考案の一実施形態による同軸ケーブル用コネクタを示す断面図である。図１および図２に示すように、本考案の同軸ケーブル用コネクタは、ジャックコネクタ１、ジャックコネクタ上に軸方向に設けられた環状導体２、および絶縁ブッシュ３を含む。
【００１２】
ジャックコネクタ１は、導電材料からなり、軸方向に通路１０を内部に形成し、隣接する二つの相対する端部の外周面に外ネジ１１が設けられている。外ネジ１１は、同軸ケーブル４の先端に設けられたプラグコネクタ４１の内ネジ４１１と組み合わされる。二つの外ネジ１１の間には、凸縁部１２が設けられている。
【００１３】
二つの絶縁ブッシュ３は、それぞれ環状導体２の両端に配置され、中央に中心ピン受入穴３１が設けられている。中心ピン受入穴３１は、内部に向かって同軸上に延伸し、内径が少しずつ広がる導引部３２を連接するように設け、環状導体２の一方の端部を導引部３２内に押し当てる。これにより、環状導体２および絶縁ブッシュ３がジャックコネクタ１の通路１０に配置されると、環状導体２がジャックコネクタ１の通路１０内に固定支持される。
【００１４】
図３および図４を参照する。図３は、環状導体を示す正面図である。図４は、環状導体の図３のａ−ａ’面を示す断面図である。図３および図４に示すように、環状導体２の両端は、それぞれ三つの導片２１を有し、隙間２０を等間隔に設けている。これにより、環状導体２の両端の導片２１の間に収納溝２２（図２参照）が形成される。各導片２１の中央部にはやや収納溝２２に向かって凹んだ平面状の平底部２３が形成されている。各平底部２３には収納溝２２内に向かって長いアーチ型凸縁２４が凸設されている。
【００１５】
ジャックコネクタ１の両端に同軸ケーブル４のプラグコネクタ４１がそれぞれ接続されると、同軸ケーブル４の中心ピン４２が絶縁ブッシュ３の中心ピン受入穴３１を介して環状導体２の両端の収納溝２２内に挿入される。すると、環状導体２の導片２１のアーチ型凸縁２４が、収納溝２２内に挿入された同軸ケーブル４の中心ピン４２を弾力性を有しながら挟持する。
複数のアーチ型凸縁２４は、等間隔の距離で中心ピン４２に対して圧力を加えることにより、アーチ型凸縁２４と中心ピン４２との間に緊密な接触が形成される。これと同時に、環状導体２が両端の同軸ケーブル４の中心ピン４２を電気的に接続することにより、ジャックコネクタ１を介して両端の同軸ケーブル４の遮蔽部間に電気的接続（図示せず）が形成される。
【００１６】
本考案は、導片２１の中央の平底部２３の内側に向かって凸出したアーチ型凸縁２４により、環状導体２の両端の導片２１が同軸ケーブル４の中心ピン４２を挟持する際に、挟持応力をアーチ型凸縁２４に集中させて、大きな面積を有する部分に挟持により発生した応力を均等に分散させ、導片２１が長時間にわたり圧縮変形して弾性を失うのを防止することができる。例えば、１ｍｍの太めの直径を有する中心ピン４２を用いて何度も抜き差し動作を繰り返した後、例えば、０．６４ｍｍの細めの直径を有する中心ピン４２を挿入しても、環状導体２の両端の導片２１は、なおも安定した挟持力を有する。そのため、本考案の同軸ケーブル用コネクタに、例えば、０．６４ｍｍ〜１．０７ｍｍの直径を有する同軸ケーブル４を接続しても、１ＧＨｚの信号伝送損失を３０ｄＢ内に抑えることができる。また、３ＧＨｚの信号伝送損失なら２５ｄＢ内に抑えることができる。
【００１７】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１８】
１  ジャックコネクタ
２  環状導体
３  絶縁ブッシュ
４  同軸ケーブル
１０  通路
１１  外ネジ
１２  凸縁部
２０  隙間
２１  導片
２２  収納溝
２３  平底部
２４  アーチ型凸縁
３１  中心ピン受入穴
３２  導引部
４１  プラグコネクタ
４２  中心ピン
４１１  内ネジ
【図１】
0003191366.tif 000003
【図２】
0003191366.tif 000004
【図３】
0003191366.tif 000005
【図４】
0003191366.tif 000006